【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
電子式の位置測定装置（１０００）のための位置検出器（１００）において、前記位置検出器（１００）は、周期的な磁気信号（Ｓ）を生成するための信号生成装置（１１０）と、前記信号生成装置（１１０）に電気エネルギーを供給するための電気エネルギー供給装置（１２０）とを有している位置検出器（１００）。
【請求項２】
前記電気エネルギー供給装置（１２０）は少なくとも１つの局所的なエネルギー蓄積器（１２２）を有している、請求項１に記載の位置検出器（１００）。
【請求項３】
前記電気エネルギー供給装置（１２０）は、機械エネルギー、熱エネルギー、放射エネルギー、ならびに／または磁界および／もしくは電界から取り出されるエネルギーを電気エネルギーへ変換するために構成された少なくとも１つのエネルギー変換器（１２４）を有している、請求項１または２に記載の位置検出器（１００）。
【請求項４】
前記信号生成装置（１１０）は少なくとも１つのオシレータを有している、請求項１〜３のいずれか１項に記載の位置検出器（１００）。
【請求項５】
周期的な磁気信号（Ｓ）は１キロヘルツから２００キロヘルツの範囲内の周波数成分を有している、請求項１〜４のいずれか１項に記載の位置検出器（１００）。
【請求項６】
請求項１〜５のいずれか１項に基づいて構成された、測定経路（ＭＷ）に沿って可動の位置検出器（１００）の位置（ｘ）を判定するための位置測定装置（１０００）において、前記位置測定装置（１０００）は前記位置検出器（１００）により生成される磁気信号（Ｓ）を検出するために測定経路（ＭＷ）に沿って配置された少なくとも１つの第１の導体ループ（Ｌ１）を有しており、前記第１の導体ループ（Ｌ１）は前記位置検出器（１００）の信号生成装置（１１０）と前記第１の導体ループ（Ｌ１）との間の磁気結合が前記位置検出器（１００）の位置（ｘ）に依存して変化するように構成されており、且つ磁気信号（Ｓ）により前記第１の導体ループ（Ｌ１）で生成される第１の信号（ｓ１）に依存して位置（ｘ）を判定するための評価装置（１０１０）を有している位置測定装置（１０００）。
【請求項７】
前記位置検出器（１００）により生成される磁気信号（Ｓ）を検出するために少なくとも区域的に測定経路（ＭＷ）に沿って配置された第２の導体ループ（Ｌ２）がさらに設けられており、前記評価装置（１０１０）は第１の信号（ｓ１）に依存し、且つ磁気信号（Ｓ）により前記第２の導体ループ（Ｌ２）で生成される第２の信号（ｓ２）に依存して位置（ｘ）を判定するために構成されており、前記第１の導体ループ（Ｌ１）の特に少なくとも１つの区域は測定経路（ＭＷ）の参照位置（ｘ０）に関して実質的にほぼ正弦形の推移を有しており、前記第２の導体ループ（Ｌ２）の少なくとも１つの区域は測定経路（ＭＷ）の参照位置（ｘ０）に関して実質的にほぼ余弦形の推移を有している、請求項６に記載の位置測定装置（１０００）。
【請求項８】
少なくとも１つの導体ループ（Ｌ１）は、少なくとも１つの前記導体ループ（Ｌ１）の微分面積要素（ｄＡ）の大きさが測定経路（ＭＷ）の座標軸（ｘ）に沿って設定可能な関数に従って変化するように構成されている、請求項６または７に記載の位置測定装置（１０００）。
【請求項９】
少なくとも３つの導体ループ（Ｌ１，Ｌ２，Ｌ３）が設けられており、第１の導体ループ（Ｌ１）に割り当てられる関数は正弦関数であり、第２の導体ループ（Ｌ２）に割り当てられる関数は余弦関数であり、第３の導体ループ（Ｌ３）に割り当てられる関数は定数である、請求項８に記載の位置測定装置（１０００）。
【請求項１０】
電子式の位置測定装置（１０００）のための位置検出器（１００）を作動させる方法において、前記位置検出器（１００）は信号生成装置（１１０）により周期的な磁気信号（Ｓ）を生成し、電気エネルギー供給装置（１２０）が前記信号生成装置（１１０）に電気エネルギーを供給する方法。
【請求項１１】
前記電気エネルギー供給装置（１２０）はエネルギー変換器（１２４）により機械エネルギー、熱エネルギー、放射エネルギー、ならびに／または磁界および／もしくは電界から取り出されるエネルギーを電気エネルギーへと変換し、局所的なエネルギー蓄積器（１２２）で少なくとも一時的に蓄積する、請求項１０に記載の方法。
【請求項１２】
請求項１から請求項５のいずれか１項に基づいて構成された、測定経路（ＭＷ）に沿って可動の位置検出器（１００）の位置（ｘ）を判定するための位置測定装置（１０００）を作動させる方法において、前記位置測定装置（１０００）は前記位置検出器（１００）により生成される磁気信号（Ｓ）を検出するために測定経路（ＭＷ）に沿って配置された少なくとも１つの第１の導体ループ（Ｌ１）を有しており、前記第１の導体ループ（Ｌ１）は前記位置検出器（１００）の信号生成装置（１１０）と前記第１の導体ループ（Ｌ１）との間の磁気結合が前記位置検出器（１００）の位置（ｘ）に依存して変化するように構成されており、磁気信号（Ｓ）により前記第１の導体ループ（Ｌ１）で生成される第１の信号（ｓ１）に依存して評価装置（１０１０）が位置（ｘ）を判定する方法。
【請求項１３】
前記位置検出器（１００）により生成される磁気信号（Ｓ）を検出するために少なくとも区域的に測定経路（ＭＷ）に沿って配置された第２の導体ループ（Ｌ２）がさらに設けられており、前記評価装置（１０１０）は第１の信号（ｓ１）に依存し、且つ磁気信号（Ｓ）により前記第２の導体ループ（Ｌ２）で生成される第２の信号（ｓ２）に依存して位置（ｘ）を判定し、前記第１の導体ループ（Ｌ１）の少なくとも１つの区域は測定経路（ＭＷ）の参照位置（ｘ０）に関して実質的にほぼ正弦形の推移を有しており、前記第２の導体ループ（Ｌ２）の少なくとも１つの区域は測定経路（ＭＷ）の参照位置（ｘ０）に関して実質的にほぼ余弦形の推移を有している、請求項１２に記載の方法。
【請求項１４】
少なくとも１つの導体ループ（Ｌ１）は少なくとも１つの前記導体ループ（Ｌ１）の微分面積要素（ｄＡ）の大きさが測定経路（ＭＷ）の座標軸（ｘ）に沿って設定可能な関数に従って変化するように構成されている、請求項１２または１３に記載の方法。
【請求項１５】
少なくとも３つの導体ループ（Ｌ１，Ｌ２，Ｌ３）が設けられており、第１の導体ループ（Ｌ１）に割り当てられる関数は正弦関数であり、第２の導体ループ（Ｌ２）に割り当てられる関数は余弦関数であり、第３の導体ループ（Ｌ３）に割り当てられる関数は定数であり、前記評価装置（１０１０）は第１の信号（ｓ１）に依存し、磁気信号（Ｓ）により前記第２の導体ループ（Ｌ２）で生成される第２の信号（ｓ２）に依存し、且つ磁気信号（Ｓ）により前記第３の導体ループ（Ｌ３）で生成される第３の信号（ｓ３）に依存して位置（ｘ）を判定する、請求項１４に記載の方法。
【請求項１６】
前記第２の信号（ｓ２）は位相ずれした第２の信号（ｓ２’）を得るために９０度だけ位相シフトされ、前記第１の信号（ｓ１）は総和信号（ｓ４）を得るために位相ずれした前記第２の信号（ｓ２’）に加算され、位置（ｘ）を判定するために前記総和信号（ｓ４）と第３の信号（ｓ３）との間で位相比較が実行される、請求項１５に記載の方法。
【請求項１７】
位相比較は次の各ステップを有しており、すなわち、前記総和信号（ｓ４）が第１のデジタル信号に変換され、前記第３の信号（ｓ３）が第２のデジタル信号に変換され、位置（ｘ）を判定するために時間測定の方式で前記第１および前記第２のデジタル信号の位相が比較される、請求項１６に記載の方法。